(57)【要約】【課題】身体的快適さ、及びスタイリッシュな外観を失うことなく、使用者による歩行数を、信頼性がある方法で、かつ正確に検出することが出来るできるステップカウンタシステム、及び前記歩行を検出する方法を提供する。【解決手段】着用可能なステップカウンタシステム（１００）は、着用者の両脚用の衣服（１０）、容量電極（３）及びマイクロコントローラ（１）を備えており、前記衣服（１０）は、編織布部分（１２）を備えており、前記容量電極（３）は、前記編織布部分（１２）の中に織り込まれた導電性ヤーン（２２）を備えており、前記編織布部分（１２）は、前記衣服（１０）に配設されており、前記容量電極（３）と着用者の脚の間に寄生容量結合を提供し、前記マイクロコントローラ（１）は、前記容量電極（３）に電気的に接続されており、前記寄生容量結合を評価するようになっており、もって着用者の両脚の間の相対運動を前記マイクロコントローラ（１）によって検出する。【選択図】図１
2017211985.tif 000002
【特許請求の範囲】
【請求項１】
着用者の両脚用の衣服（１０）、容量電極（３）、及びマイクロコントローラ（１）を備える着用可能なステップカウンタシステム（１００）であって、前記衣服（１０）は編織布部分（１２）を含んでおり、前記容量電極（３）は、前記編織布部分（１２）に織り込まれた導電性ヤーン（２２）を含んでおり、前記編織布部分（１２）は、前記衣服（１０）に接して、その上に、又は前記衣服（１０）の中に配置されているか、又は前記衣服（１０）の一部を形成して、前記容量電極（３）と着用者の脚の間に寄生容量結合を形成しており、前記マイクロコントローラ（１）は、前記容量電極（３）に電気的に接続されて、前記寄生容量結合を評価するようになっており、もって着用者の両脚の間の相対運動を前記マイクロコントローラ（１）で検出するようになっている、着用者の両脚用の衣服（１０）、容量電極（３）、及びマイクロコントローラ（１）を具備する着用可能なステップカウンタシステム（１００）。
【請求項２】
前記マイクロコントローラ（１）は、前記容量電極（３）の容量値（Ｃ）を検出することによって、前記寄生容量結合を評価するように構成されている、請求項１に記載の着用可能なステップカウンタシステム（１００）。
【請求項３】
前記マイクロコントローラ（１）は、前記寄生容量結合に基づいて、着用者の両脚の間の距離（Ｄ）、及び／又は着用者の片足と容量電極（３）の横断面の重なり部（Ｏ）を評価するように構成されている、請求項１又は２に記載の着用可能なステップカウンタシステム。
【請求項４】
前記マイクロコントローラ（１）は、前記容量電極（３）の前記容量値（Ｃ）を、時間の関数として評価するように構成されている、請求項２又は３に記載の着用可能なステップカウンタシステム（１００）。
【請求項５】
前記容量電極（３）は、概ね、前記衣服（１０）の全長に沿って配設されている、請求項１〜４のいずれか１項に記載の着用可能なステップカウンタシステム（１００）。
【請求項６】
前記導電性ヤーン（２２）は、導電性コア（２５）及び電気絶縁性外表面（２７）を含んでいる、請求項１〜５のいずれか１項に記載の着用可能なステップカウンタシステム（１００）。
【請求項７】
前記導電性コア（２５）は、鋼、銅、銀、及び導電性ポリマーの少なくとも１つから製造されている、請求項６に記載の着用可能なステップカウンタシステム（１００）。
【請求項８】
前記電気絶縁性外表面（２７）は、コットン、ポリエステル、ポリウレタン及びポリプロピレンから選択された材料から製造されている、請求項６又は７に記載の着用可能なステップカウンタシステム（１００）。
【請求項９】
前記編織布部分（１２）は、前記導電性ヤーン（２２）と交絡されている複数本の非絶縁性ヤーン（２３）を含んでいて、前記非絶縁性ヤーン（２３）のセットは、電気的接地グリッドを形成するようになっており、前記電気的接地グリッドは、着用者の皮膚に接触するようになっている、請求項１〜８のいずれか１項に記載の着用可能なステップカウンタシステム（１００）。
【請求項１０】
前記非絶縁性ヤーン（２３）は、鋼、コットンの周りに巻かれた鋼、又は鋼−コットンの混合物から製造される、請求項９に記載の着用可能なステップカウンタシステム（１００）。
【請求項１１】
前記衣服（１０）は、第１の脚用衣服（１１ａ）及び第２の脚用衣服（１１ｂ）を含む二脚用衣服であり、前記編織布部分（１２）は、前記第１の脚用衣服（１１ａ）に配設されている、請求項１〜１０のいずれか１項に記載の着用可能なステップカウンタシステム（１００）。
【請求項１２】
前記編織布部分（１２）は、前記第１の脚用衣服（１１ａ）の第１の編織布部分（１２ａ）、及び前記第２の脚用衣服（１１ｂ）の第２の編織布部分（１２ｂ）を含んでおり、前記システム（１００）は、第１の容量電極（３ａ）及び第２の容量電極（３ｂ）を含んでおり、前記第１の容量電極（３ａ）の導電性ヤーン（２２）は、前記第１の編織布部分（１２ａ）の中に織り込まれてあり、前記第２の容量電極（３ｂ）の導電性ヤーン（２２）は、前記第２の編織布部分（１２ｂ）の中に織り込まれている、請求項１１に記載の着用可能なステップカウンタシステム（１００）。
【請求項１３】
前記第２の脚用衣服（１１ｂ）に接して、その上に、又は前記第２の脚用衣服（１１ｂ）の中に配設されるか、あるいは前記第２の脚用衣服（１１ｂ）の少なくとも一部を形成している整合電極（４）を含んでおり、前記整合電極（４）は、地面に接続された導電性ヤーン（４０）を含んでいる、請求項１１に記載の着用可能なステップカウンタシステム（１００）。
【請求項１４】
前記整合電極（４）は、概ね、前記衣服（１０）の全長に沿って配設されている、請求項１３に記載の着用可能なステップカウンタシステム（１００）。
【請求項１５】
前記衣服（１０）は、１対のパンツである、請求項１〜１４のいずれか１項に記載の着用可能なステップカウンタシステム（１００）。
【請求項１６】
前記導電性ヤーン（２２）は接地され、前記容量電極（３）は、更に、容量センサを形成しており、かつ前記マイクロコントローラ（１）に電気的に接続されている導電性コーティング（５０）を含んでいる、請求項１又は５に記載の着用可能なステップカウンタシステム（１００）。
【請求項１７】
前記導電性コーティング（５０）は、導電性不純物が分散されている軟質（コ）ポリマーマトリックスを含んでいる、請求項１６に記載の着用可能なステップカウンタシステム（１００）。
【請求項１８】
下記のステップ（ａ）及び（ｂ）を含む、使用者の歩行数を検出する方法であって、
（ａ）着用者の脚用の衣服であって、前記衣服は、容量電極及び容量電極に結合されたマイクロコントローラを備えており、前記衣服は、導電性ヤーンが織り込まれている編織布部分を含んでおり、編織布部分は、前記衣服の第１の脚の部分を形成しており、前記導電性ヤーンは、前記容量電極を形成している、着用者の脚用の衣服を供給すること、及び
（ｂ）前記容量電極と前記衣服の第２の脚部との間の寄生容量を検出することを含む、使用者の歩行数を検出する方法。
【請求項１９】
前項の（ｂ）で検出された前記寄生容量は、前記第２の脚に沿った複数の位置で検出される、請求項１８に記載の方法。
【請求項２０】
前記寄生容量を、前記第１の脚部の前記容量電極と前記衣服の前記第２の脚部中に配置された前記着用者の脚の間の距離（Ｄ）に変換するステップ（ｃ）をさらに含む請求項１８又は１９に記載の方法。
【請求項２１】
前記ステップ（ｂ）は、ある時間に亘って少なくとも周期的に検出することを含み、かつ、ある時間に亘って少なくとも周期的に行った前記検出に基づいて、着用者の歩行数を計算することを更に含む、請求項１８〜２０のいずれか１項に記載の方法。
【請求項２２】
下記のステップを含む、着用可能なステップカウンタシステムを製造する方法。
−編織布部分（２２）を有する、着用者の両脚用の衣服（１０）を供給すること。
−前記編織布部分（２２）の中に導電性ヤーン（２２）を織り込んで、容量電極（３）を供給すること。
−前記容量電極（３）に電気的に接続されたマイクロコントローラ（１）を供給して、前記容量電極（３）と着用者の脚の間の寄生容量結合を評価して、着用者の両脚の間の相対運動を前記マイクロコントローラ（１）で検出すること。
【請求項２３】
前記導電性ヤーンは、織布の製造時に前記織布の中に織り込まれ、かつ前記織布を衣服に仕立てるステップを含んでいる、請求項２２に記載の方法。
【発明の詳細な説明】
【技術分野】
【０００１】
本発明は、使用者の身体活動を測定する分野に関する。特に本発明は、着用可能なステップカウンタシステム、使用者の歩行数を検出する方法、及び着用可能なステップカウンタシステムを製造する方法に関する。
【背景技術】
【０００２】
ステップカウンタは、通常、使用者の歩行を計数して、例えば、身体活動中に、使用者が歩行した距離を計測するのに使用される。ステップカウンタは、主として、使用者のベルト、腕、又は手首に装着した嵩張った加速度計によって、使用者の運動を検出するものである。これにより、身体のこれらの部位が、歩行又は走行運動している旨が判断される。従来のステップカウンタは、或る状況、例えば使用者が車を運転している場合、又は、使用者が何らかの身体的運動を行なうことなく、加速を行なわざるを得ない場合に、間違った歩行数をカウントしてしまうという問題がある。
【０００３】
この問題を解消するために、ステップカウンタシステムには、使用者の脚に筋電図検査（ＥＭＧ）センサを取り付け、脚の筋肉の活動を検出するようにしたものがある。この場合、使用者の歩行数を、使用者の加速度とは無関係に検出することができる。他の解決策として、使用者の靴の底に取り付けた歪み計により、使用者の体重（質量）を検出するものがある。
【０００４】
然しながら、これらの解決策には、幾つかの欠点がある。ＥＭＧセンサは、それぞれの脚毎に、少なくとも３個の電極を必要とし、電極を使用者の皮膚と接触させなければならないので、使用者が着用すると不快感を感じる。歪み計の場合、適切に歪み計を機能させるには、複雑な材料が必要である。更に、使用者の足の下に配置すると、信号を捕捉するのが極めて難しくなる。いずれのやり方にしても、高価で、かつ使用者が日常実施するには不快感を伴う。
【先行技術文献】
【特許文献】
【０００５】
【特許文献１】欧州特許出願公開第１５１７９１４７号公報
【特許文献２】欧州特許出願公開第１５１９３７２３号公報
【発明の概要】
【発明が解決しようとする課題】
【０００６】
発明が解決しようとする課題は、上述した従来技術の欠点を解消し、身体的快適さ、及びスタイリッシュな外観を失うことなく、使用者が行っている歩行数を、信頼性のある方法で、かつ正確に検出することができるステップカウンタシステム、及び前記歩行数を検出する方法を提供することである。
【０００７】
発明が解決しようとする更なる課題は、身体的快適さ、及びスタイリッシュな外観を失うこと無く、ステップカウンタを容易に衣服に取り付けることができる着用可能なステップカウンタシステムを製造する方法を提供することである。
【０００８】
発明が解決しようとする更に別の課題は、多種多様な歩行、又は走行スタイルを検出することが出来る着用可能なステップカウンタシステムを提供することである。多くの態様において、着用可能なステップカウンタは、衣服の生地の一部を構成しており、例えば導電性ヤーンが、編織布部分に織り込まれるか、又は編み込まれて、衣服の一部を形成している。
【課題を解決するための手段】
【０００９】
これらの課題及び目的は、請求項１に記載の着用可能なステップカウンタシステム、請求項１８に記載の使用者の歩行数を検出する方法、及び請求項２２に記載の着用可能なステップカウンタシステムを製造する方法によって達成される。本発明の好ましい態様は、従属請求項に記載されている。
【００１０】
特に、本発明による着用可能なステップカウンタシステムは、着用者の脚用衣服、容量電極、及びマイクロコントローラを備えている。
【００１１】
用語「着用者の脚用衣服」は、パンツ、スポーツパンツ、ショーツ、ソックス、タイツ、レッグウオ−マ等のように、使用者の片方又は両方の脚を少なくとも部分的に覆う衣服類を意味する。
【００１２】
様々な態様において、本発明の衣服は、編織布部分、及び編織布部分に織り込まれるか、又は編み込まれている導電性ヤーンを含んでいる容量電極を備えている。編織布部分は衣服に取り付けられて、容量電極と着用者の脚の間で、寄生容量結合を形成している。マイクロコントローラが、無給電静電容量結合を評価するために、容量電極に電気的接続され、着用者の脚の間の相対運動を検出するようになっている。
【００１３】
用語「寄生容量結合」とは、容量電極と着用者の脚の寄生容量との間の容量結合を意味する。一般に、寄生容量を供給することができる物体（例：着用者の脚）が、ステップカウンタシステムの容量電極に接近すると、容量電極の容量が大きくなる。この事実は、容量電極と、容量電極に接近している物体の寄生容量との間の容量結合に起因する。換言すれば、本発明のシステムにおける容量電極は、他の物体に対する使用者の脚との近接度を検出する一種の容量センサとして作用する。
【００１４】
本発明の実施態様によると、本発明の着用可能なステップカウンタシステムは、身体的快適さ、及びお洒落な外観を失うこと無く、簡単な方法で、衣服と一体化することができる。更に、本発明の着用可能なステップカウンタシステムは、着用者の脚用の衣服がどのようなタイプであっても、経済的に製造することができる。
【００１５】
本発明によると、マイクロコントローラは、容量電極の容量値を検出することにより、寄生容量結合を評価するように構成されている。
【００１６】
前記マイクロコントローラは、寄生容量結合に基づいて、着用者の脚の間の距離、及び／又は横断面の重なり部を算出するように構成されていることが好ましい。
【００１７】
本発明によると、着用者の脚の間の距離は、使用者が受ける加速とは無関係（例：使用者が車を運転している時、又は一般的に、使用者が身体的活動を行なっていない時）に検出することが出来る。
【００１８】
更に、本発明によると、マイクロコントローラは、容量電極の容量値を時間の関数として評価する。これにより、本発明のステップカウンタシステムは、使用者による歩行を、信頼できる方法で正確に検出することができる。
【００１９】
本発明の一態様によると、容量電極は、衣服の概ね全長に亘って配設される。これにより、多種多様な足取りでも、正確かつ信頼度をもって検出することができる。然しながら、他の態様では、容量電極は、衣服のごく一部に沿って配設される。
【００２０】
本発明の一態様によると、導電性ヤーンは、導電性コア及び電気絶縁性外表面を含んでいる。
【００２１】
好ましくは、導電性コアは、鋼、銅、銀、及び導電性ポリマーから選択された材料で製造される。
【００２２】
好ましくは、電気絶縁性外表面は、綿、ポリエステル、ポリウレタン及びポリプロピレンから選択された材料で製造される。
【００２３】
編織布部分は、１セット、即ち１組の導電性ヤーンを交絡させた非絶縁性ヤーンを含んでいることが好ましい。１セットの非絶縁性ヤーンには、電気的接地グリッドが取り付けられる。電気的接地グリッドは、着用者の皮膚に接するように配設される。
【００２４】
非絶縁性導電性ヤーンは、鋼、又は綿の周りに巻かれた鋼、或いは鋼−綿の混合物で製造することが好ましい。
【００２５】
本発明の多様な態様において、衣服は、第１の衣服脚部及び第２の衣服脚部を有する二脚型衣服で、編織布部分は、第１の衣服脚部に配設される。
【００２６】
編織布部分は、第１の衣服脚部に配設された第１の編織布部分、及び第２の衣服脚部に配設された第２の編織布部分を含んでいるのが好ましい。本発明のステップカウンタシステムは、第１及び第２の容量電極、前記第１の編織布部分の中に織り込まれている第１の容量電極の導電性ヤーン、前記第２の編織布部分の中に織り込まれている第２の容量電極の導電性ヤーンを含んでいる。
【００２７】
この態様により、例えば、第２の容量電極から検出された容量値と、第１容量電極から検出された容量値とを合計することによって、寄生容量結合の感度が改良される。
【００２８】
さらに、本発明の態様によると、着用可能なステップカウンタシステムは、第２の衣服脚部に配設された整合電極を有している。前記整合電極は、接地された導電性ヤーンを含んでいる。この態様により、地面に対する容量電極の容量値を、正確かつ信頼度をもって検出することができる。
【００２９】
整合電極は、実質的に、前記衣服の全長に沿って配設すると有利である。
【００３０】
更に、本発明の一態様によると、本発明の着用可能なステップカウンタシステムは、容量性センサとして役立つコーティングと一緒に衣服に織り込まれる導電性ヤーンを含んでいる。前記コーティングは、多種多様な材料を使用して形成された導電性不純物が分散された柔軟性（コ）ポリマーでよい。
【００３１】
有利な態様としての衣服は、１対のパンツである。着用可能なステップカウンタは、着用者の身体活動のモニターだけではなく、着用者の通常の健康状態もモニターすることが出来る。例えば、着用可能なステップカウンタを使用して、ストレス度、又は腰掛け仕事の間の使用者の両脚の位置等を、モニターすることが出来る。
【００３２】
本発明は、更に、使用者の歩行数を検出する方法に関し、この方法は、下記のステップを含んでいる。
ａ）  着用者の両脚用の衣服であって、前記衣服は、容量電極、及び容量電極に結合されたマイクロコントローラを含んでおり、更に前記衣服は、導電性ヤーンが織り込まれている編織布部分を含んでおり、かつ前記衣服の第１の脚部の一部を形成し、前記導電性ヤーンは、前記容量電極を形成している衣服を、着用者の両端に供給すること；及び
ｂ）前記容量電極と前記衣服の第２の脚との間の寄生容量を検出すること。
【００３３】
幾つかの態様において、前記ステップ（ｂ）は、前記第２の脚部に沿った複数の位置における寄生容量の検出を提供する。
【００３４】
幾つかの態様において、前記方法は、更に、ステップ（ｃ）「前記寄生容量を、前記第１の脚部の前記容量電極と、前記衣服の前記第２の脚部に配置されている前記着用者の脚の間の距離に変換すること」を含んでいる。
【００３５】
幾つかの態様において、前記ステップ（ｂ）は、或る時間に亘って少なくとも周期的に実施され、さらにステップ（ｄ）「前記或る時間に亘って少なくとも周期的に実施された前記検出に基づいて、着用者が取った歩行の数を計算すること」を含んでいる。
【００３６】
更に、本発明は、下記のステップを含む着用可能なステップカウンタシステムを製造する方法にも関する。
―編織布部分を含む着用者の脚用の衣服を供給すること、
―導電性ヤーンを前記衣服の編織布部分の中に織り込んで容量電極を供給すること、
―前記容量電極に電気的に接続されているマイクロコントローラを供給して、前記容量電極と着用者の脚の間の寄生容量結合を評価し、着用者の両脚の相対運動を前記マイクロコントローラで検出すること。
【発明の効果】
【００３７】
本発明によると、身体的快適さ及びスタイリッシュな外観を失うこと無く、使用者の衣服の一部として衣服に織り込まれていて、着用者の歩行を、高い信頼感をもって、かつ正確に検出することが出来るステップカウンタシステムが提供される。
【図面の簡単な説明】
【００３８】
【図１】本発明の一態様による着用可能なステップカウンタシステムの斜視図。
【図２Ａ】本発明の一態様による着用可能なステップカウンタシステムで検出された容量電極の容量値の経時的グラフ。
【図２Ｂ】本発明の一態様による着用可能なステップカウンタシステムで検出された容量電極の容量値の周波数スペクトル。
【図２Ｃ】本発明の一態様による着用可能なステップカウンタシステムを横方向から観察した略斜視図。
【図３】本発明の一態様による着用可能なステップカウンタシステムを横方向から観察した略斜視図。
【図４】本発明の一態様による着用可能なステップカウンタシステムの編織布部分の略断面図。
【図５】図４に示した編織布部分の略平面図。
【図６】本発明の別の態様による着用可能なステップカウンタシステムの編織布部分の略断面図。
【図７】図６の編織布部分１２の略底面図。
【図８】本発明の別の態様による着用可能なステップカウンタシステムの編織布部分の略断面図。
【図９】本発明の更に別の態様による着用可能なステップカウンタシステムの斜視図。
【図１０】本発明の更に別の態様による着用可能なステップカウンタシステムの斜視図。
【図１１】本発明の更に別の態様による着用可能なステップカウンタシステムの斜視図。
【発明を実施するための形態】
【００３９】
図１は、本発明の一態様による着用可能なステップカウンタシステム１００を示している。ステップカウンタシステム１００は、着用者の両脚用の衣服１０、容量電極３、及びマイクロコントローラ１を備えている。
【００４０】
図１における衣服１０は、二脚衣服、好ましくは１対のパンツで、第１の衣服の脚部１１ａ及び第２の衣服の脚部１１ｂを備えている。容量電極３は、衣服１０の編織布部分１２に織り込まれている導電性ヤーン２２を備えている。好ましくは、衣服１０は、２本の脚部１１ａ及び１１ｂの一つの部分を形成する編織布部分１２を含んでいる。図１に示す態様において、編織布部分１２は、第１の衣服の脚部１１ａに配設されている。一般に、編織布部分１２は、衣服１０の一部を形成しており、容量電極３と着用者の脚の間に寄生容量結合を供給している。
【００４１】
換言すれば、衣服１０の編織布部分１２には、容量電極３の導電性ヤーン２２が織り込まれており、少なくとも部分的に着用者の脚を覆うような形状になっている。従って、編織布部分１２は、衣服１０において、容量電極３が着用者の一方の脚に対向するような位置に配設されている。図１に示した態様では、容量電極３は、着用者の両脚の間の衣服部分、即ち使用者が衣服１０を着用した時、着用者の両脚の間に位置するように構成される部分に配設されている。編織布部分１２は、衣服１０において、着用者の内股に置かれるような構成になっている部分に配設することが好ましい。然しながら、他の態様として、導電性ヤーン２２を含んでいる編織布部分１２を、他の様々な位置に配置してもよい。
【００４２】
マイクロコントローラ１は、（例えば、図１〜図２Ｃ、図３、及び図９〜図１１において、点線で示すように接続ケーブル２で）容量電極３に電気的に接続されており、容量電極３と、第２の衣服の脚部１１ｂの中の着用者の脚、即ち、導電性ヤーンが織り込まれている編織布部分１２が少なくとも部分的に覆っている脚に対向している着用者の脚との間の寄生容量結合を行うようになっている。様々な態様において、接続ケーブル２は、衣服１０の縫い目に沿って延びているのが好ましい。幾つかの態様では、接続ケーブル２は、マイクロコントローラ１を、容量電極３の編織布部分１２に接続するのが好ましい。
【００４３】
このようして、着用者が歩行する時、容量電極３は、着用者の脚に追随して、一方の脚に対して動かされる。この運動は、容量電極３と第２の衣服の脚部１１ｂの間の寄生容量結合に影響を与える。従って、寄生容量結合を感知することにより、マイクロコントローラ１によって、着用者の両脚の間の運動を検出することができる。特に、容量電極３の容量値Ｃを検出することにより、寄生容量結合を評価することができる。
【００４４】
実際、着用者の脚（又は、一般に、他の静電容量供給物体）が容量電極３に向かって動いている時、着用者の脚の寄生容量ＣＬＥＧが容量値Ｃに加えられて、マイクロコントローラ１によって感知された広域容量の新しい値が導出されるので、容量値Ｃは変化する。容量値Ｃは、容量電極３、と第２の衣服の脚部１１ｂの中の着用者の片脚の間の距離が短くなり、かつ、断面の重なりが増えると、大きくなる。
【００４５】
好ましくは、マイクロコントローラ１は、入力段回路（図示せず）によって、容量電極３に電気的に接続されている電子ボタンの中に収容することもできる。前記入力段回路は、特許文献１の特に第１５頁、第５〜２０行に記載されている。特許文献１は、本願と同じ出願人によるもので、発明の名称は「スマートな衣服用電子ボタン」である。なお、ヨーロッパ特許出願公開第１５１７９１４７．２号公報の内容は、本明細書、特許請求の範囲、図面及び要約書の一部を構成するものとして、その全てを援用する。
【００４６】
より好ましくは、容量電極３の充電／放電時間の変化、次いで容量電極３の容量値Ｃの変化による時間遅延を測定することによって、マイクロコントローラ１は、容量電極３の容量値Ｃを検出することができる。
【００４７】
マイクロコントローラ１は、容量電極３の容量値Ｃを時間の関数として、より好ましくは、図２Ａに示すように、経時的−サンプル信号Ｃ（ｔ）の形で得られた検出された容量値Ｃを評価するような構成が有利である。特に、容量値Ｃは、着用者の両脚の間の距離が小さくなるに従って増加し、かつ容量電極３と、第２の衣服の脚部１１ｂの中の着用者の片脚の間の横断面の重なりが増えるに従って増える。
【００４８】
図２Ｃに示すように、容量電極３と、第２の衣服の脚部１１ｂの中の着用者の片脚の間の横断面の重なりＯの量は、第１の衣服の脚部１１ａの中の着用者の片脚の位置、従って、第２の衣服の脚部１１ｂの中の着用者の片脚に対する容量電極３の位置に依存している。
【００４９】
図２Ａにおいて、容量値Ｃは、２つのピーク５ａ、５ｂを示していて、これらは歩行者による歩行を表している。図２Ａでは、歩行者の両脚は、象徴的にセグメント７ａ、７ｂで示してある（容量電極３は、象徴的にセグメント７ａで示す脚に配設されている）。換言すれば、２つのピーク５ａ、５ｂ間の時間間隔は、着用者が歩行する間の時間を示している。このようにして、マイクロコントローラ１は、身体活動の間、着用者による歩行を検出し、かつ計算する。更に、マイクロコントローラ１は、寄生容量結合に基づいて着用者の両脚の間の距離Ｄを評価するような構成になっている。例えば、距離Ｄは、着用者の両脚の間に形成される角度、又は容量電極３が配置されている着用者の脚の所定の点と、一方の脚の間の平均距離によって定義することができる。例えば、距離Ｄは、容量値Ｃの逆数に換算係数Ｋ（Ｄ＝Ｋ＊１／Ｃ）を掛けることで導出される。但し、Ｋは、前の試験から実験的に誘導される計数である。好ましくは、着用者の両脚の間の距離Ｄは、２つのピーク５ａ、５ｂの間の谷６で与えられる容量値Ｃから求められる。このようにして、距離Ｄは、歩行の間（即ち、２つのピーク５ａ、５ｂ間の時間間隔の間）使用者が実行した距離を示している。他の態様では、別の方法を使用して、距離Ｄを決定することができる。
【００５０】
図２Ｂは、図２Ａに示した試料信号Ｃ（ｔ）の周波数スペクトル（Ｃｆ）を示している。特に、本発明のステップカウンタシステムの好ましい態様は、マイクロコントローラ１が、時間領域で検出された容量信号（Ｃｔ）のフーリエ変換を評価して、異なる歩行スタイルを区別するような構成になっているということを示している。例えば、マイクロコントローラは、高速フーリエ変換（ＦＦＴ）アルゴリズムを使用して、フーリエ変換を計算することができる。次いで、算出された周波数スペクトル（Ｃｆ）を、以前の試験から実験的に誘導された複数の歩行スタイルに結合させ、メモリーに記憶させた複数の周波数スペクトルと比較する。この比較に基づいて、マイクロコントローラ１が、着用者の歩行スタイルを検出する。より好ましくは、複数の値から、変換係数ｋが選択される。記憶装置に記憶させた歩行スタイル毎に、変換係数値が関連づけて記憶されているので、着用者の歩行距離を、非常に正確に決定することができる。
【００５１】
図３は、容量電極３が衣服１０の概ね全長に沿って配設されている本発明の態様を示している。用語「衣服１０の概ね全長に沿って」は、容量電極３が、衣服の主要な長さの半分以上の長さの領域に沿って、衣服に配設されているということを意味している。
【００５２】
図３に示した態様では、衣服は１対のパンツである。従って、主要な長さとは、衣服の脚部の内側の長さ１１ａ、１１ｂである。この場合、編織布部分１２は、パンツのクロッチ８とパンツのアンクル部９を接続するパス（インシーム）に沿って配設することが好ましい。
【００５３】
発明者は、衣服１０の概ね全長に沿って配設された容量電極３を備えるステップカウンタシステム１００が、歩行スタイルの検出精度を向上させることを観察した。この向上は、ステップカウンタシステム１００を含む衣服１０が、着用者の片脚又は両脚の全長又は殆ど全長に亘って、例えば図３の態様に示したようにクロッチからアンクル部を覆う長さを有する衣服の片脚又は両脚を含む衣服において、特に顕著である。
【００５４】
衣服が１対のパンツの場合のステップカウンタシステム１００においては、容量電極３の導電性ヤーン１２は、パンツの内股に沿うような縫い目に沿って配設された編織布部分１２に織り込まれている。この様にして、身体的快適さ及びスタイリッシュな外観を損なうことなく、容量電極３を衣服１０に組み入れることができる。
【００５５】
本発明の好ましい態様における編織布部分１２は、特許文献２の特に第５頁、第１３〜第８頁第３０行に記載されている。なお、特許文献２は、本願と同じ出願人によるもので、発明の名称は「容量グリッド用編織布」である。なお、ここで、ヨーロッパ特許出願公開第１５１９３７２３．２号公報の内容は、本明細書、特許請求の範囲、図面、要約書の一部を構成するものとして、その全てを援用する。
【００５６】
図４は、導電性ヤーン２２と交絡された導電性ヤーン２３の非絶縁性セット、即ち導電性ヤーン２２と交絡された導電性ヤーン２３の非絶縁性グループを含んでいる本発明の態様による編織布部分１２を示している。
【００５７】
好ましくは、導電性ヤーン２２と導電性ヤーン２３の非絶縁性セット、即ちグループは、複数本の交絡編織用ヤーンと交絡されている。この場合、交絡編織用ヤーンの一部は、非絶縁性導電性ヤーン２３であり、上記導電性ヤーン２３の非絶縁性セット中の導電性ヤーン２３と共に電気的接地グリッドを形成している。
【００５８】
更に、交絡編織用ヤーンの一部は、通常の絶縁性編織用ヤーン２４である。従って、交絡編織用ヤーンは、絶縁性及び非絶縁性ヤーンの両者を含んでいる。このようにして、電気的接地グリッドが形成される。
【００５９】
図４に示す態様では、導電性ヤーン２２と導電性ヤーン２３の非絶縁性セットは、縦糸ヤーンであり、交絡編織用ヤーン２３、２４は、横糸ヤーンである。
【００６０】
然しながら、別の態様では、導電性ヤーン２２と導電性ヤーン２３の非絶縁性セットは、横糸ヤ−ンであり、かつ交絡編織用ヤーン２３、２４は、縦糸ヤーンであってもよい。
【００６１】
図４に示す編織布部分では、導電性ヤーン２２、絶縁性編織用ヤーン２４、及び導電性ヤーン２３の非絶縁性セットは、単一の紡織層を形成している。
【００６２】
導電性ヤーン２２は外部絶縁が好ましい。より好ましくは、導電性外部絶縁ヤーン２２は、導電性コア２５、及び絶縁性外表面２７を備える二重構造である。絶縁性外表面２７は、例えば、絶縁性樹脂及び／又は絶縁性繊維で製造することができる。
【００６３】
導電性外部絶縁ヤーン２２の導電性コア２５は、鋼、銅、銀、導電性ポリマー又はそれらの多種多様な混合物で製造するのが好ましい。別の態様では、導電性コア２５は、磁性ワイヤ又はエナメル被覆ワイヤ、即ち極めて薄い絶縁層（主として、銅又はアルミニウム製）で被覆した金属線でもよい。
【００６４】
導電性外部絶縁ヤーン２２の絶縁性外表面２７は、コットン、ポリエステル、ポリウレタン、ポリプロピレン、又はそれらの多種多様な混合物で製造するのが好ましい。
【００６５】
非絶縁性導電性ヤーン２３は、鋼、又はコットンの周りに巻いた鋼、或いは鋼−コットン混合物で製造するのが好ましい。
【００６６】
絶縁性ヤーン２４は、コットン、ポリエステル、ナイロン、それらの種々の機能性誘導体、又はそれらの様々な組み合わせから選択された紡織材料で製造するのが好ましい。
【００６７】
図５は、図４の編織布部分の平面図である。図５において、非絶縁性導電性ヤーン２３は、電気的アースに接続された接触ヤーンの密な配列（シークエンス）を形成し、電気的接地グリッドを供給している。
【００６８】
図６は、本発明の別の態様を示している。図６において、導電性ヤーン２２及び絶縁性ヤーン２４は、第１の編織布層１２０を形成しており、導電性ヤーン２３の非絶縁性セットは、第１の編織布層１２０に重なる第２の編織布層１３０を形成している。
【００６９】
この態様において、第１の編織布層１２０及び第２の編織布層１３０は、紡織繊維を交絡することによって一緒に織られている。特に、交絡紡織繊維の一部は、非絶縁性導電ヤーン２３であり、第２の編織布層１３０のヤーンの非絶縁性セットの非絶縁性導電性ヤーン２３と電気的接地グリッドを形成している。交絡紡織繊維の一部は、絶縁性ヤーン２４である。
【００７０】
この態様の場合も、導電性ヤーン２２と導電性ヤーン２３の非絶縁性セットは、縦糸ヤーンであり、交絡紡織繊維２３、２４は横糸ヤーンである。
【００７１】
別の態様において、導電性ヤーン２２とヤーン２３の非絶縁性セットは横糸ヤーンであり、交絡紡織繊維２３、２４は縦糸ヤーンでもよい。
【００７２】
図６の編織布部分１２の底面図である図７は、横糸の非絶縁性導電性ヤーン２３と交絡されている縦糸の非絶縁性ヤーン２３によって形成された電気的接地グリッドを示している。
【００７３】
図８は、本発明による編織布部分１２の更に別の態様を示している。この態様においては、導電性ヤーン２２及び絶縁性ヤーン２４は、第１の紡織層１２０を形成していて、ヤーン２３の非絶縁性セットは、第２の紡織層１３０を形成している。
【００７４】
図８の編織布部分１２は、更に、構造的絶縁ヤーン５５の別のセットを含んでおり、このセットは第１及び第２の紡織層１２０及び１３０の間に介挿された中間の紡織層１４０を形成している。
【００７５】
更に、図８の編織布部分１２は、第１及び第２の紡織層並びに構造的絶縁ヤーン５５の第３の中間紡織層１４０と交絡している複数本の構造的絶縁ヤーン６５を備えている。
【００７６】
中間の紡織層１４０は、多様な態様において、普通の紡織繊維として機械的に一緒に織られるコットン、ポリエステル等通常の紡織ヤーン５５、６５で製造された実際の紡織層１４０である。
【００７７】
図８の態様において、第２の紡織層１３０は、交絡編織用ヤーンと一緒に織られる。交絡編織用ヤーン部分は、非絶縁性導電性ヤーン２３で、第２の紡織層１３０のヤーンの非絶縁性セットの非絶縁性導電性ヤーン２３と共に電気的接地グリッドを形成している。
【００７８】
図８の態様の場合を含めて、如何なる場合でも、導電性ヤーン２２及びヤーン２３の非絶縁性セットは、縦糸ヤーンでよく、交絡ヤーンは、横糸ヤーンでよい。然しながら、態様によっては、導電性ヤーン２２及びヤーン２３の非絶縁性セットは、横糸ヤーンでよく、交絡ヤーンは縦糸ヤーンでもよい。
【００７９】
図９は、本発明によるステップカウンタシステム１００の更に別の態様を示している。この態様では、編織布部分１２は、第１の衣服の脚部１１ａに配設された第１の編織布部分１２ａ及び第２の衣服の脚部１１ｂに配設された第２の編織布部分１２ｂを含んでいる。
【００８０】
図９のステップカウンタシステム１００は、２個の容量電極３を備えている。それぞれの容量電極３は、衣服の脚部に配設されている。特に、第１の容量電極３ａは、第１の編織布部分１２ａに織り込まれている導電性ヤーン２２を有しており、第２の容量電極３ｂは、第２の編織布部分１２ｂに織り込まれている導電性ヤーン２２を有している。換言すれば、図９のステップカウンタシステム１００は、図３において示す両脚の衣服脚部１１ａ、１１ｂに容量検出部を有している。図９の態様は、それぞれ衣服脚部１１ａ、１１ｂに、かつ衣服１０のほぼ全長に沿って配設された２個の容量電極３ａ、３ｂを備えている。更なる態様では、本発明は、互いに異なる長さを有していて、及び／又は衣服脚部１１ａ、１１ｂの異なる位置に配設されている２個の容量電極３ａ、３ｂを備えているステップカウンタシステム１００を提供する。
【００８１】
図９に示すように、第１容量電極３ａ及び第２容量電極３ｂは、例えば、（点線で示した）接続ケーブル２ａ及び２ｂでマイクロコントローラ１に、それぞれ電気的に接続されている。
【００８２】
この態様において、マイクロコントローラは、各容量電極３ａ、３ｂの容量値を検出するような構成になっていることが好ましい。このようにして、容量電極値Ｃは、図２Ａに示したように、経時時間に対する２つのサンプル信号Ｃ（ｔ）の形で得られる。より好ましくは、マイクロコントローラ１は、各容量電極３ａ、３ｂの検出された容量値Ｃを合計することにより、改良された検出感度で時間領域の検出容量信号Ｃ（ｔ）を与える。
【００８３】
図１０は、本発明の別の態様を示している。この態様では、着用可能なステップカウンタシステム１００は、実質的に衣服１０の全長に沿う第２の衣服脚部１１ｂに配設された整合電極４を備えている。整合電極４は、導電性ヤーン４０を具備している。整合電極４は、図９に示した態様と同じような方法で、着用者の両脚の相対運動に反応して、寄生容量結合を高感度で検出する。（衣服脚部１１ａに配設された）容量電極３と（第２の衣服脚部１１ｂに配設された）整合電極４の間の寄生容量結合は、時間の関数としての、正確でかつ精密な動的容量プロファイルを与える。好ましくは、導電性ヤーン４０は、例えば、導電性コア２５（図４）及び電気的絶縁性外表面２７（図５）を備えている導電性ヤーン２２として製造された絶縁性ヤーンである。導電性ヤーン４０を接地して、容量電極３を検出電極として機能させ、整合電極４を容量電極３の基準として機能させるのが好ましい。このようにして、マイクロコントローラは、地面に対する容量電極３の容量値を検出する。
【００８４】
図１１は、本発明の更に別の態様を示している。図１１において、容量電極３は、容量センサとして機能するコーティング５０を備えている。図１１は、第１の衣服脚部１１ａに取り付けられたコーティング５０を示している。図１１に示す態様では、衣服１０の編織布部分１２に織り込まれている導電性ヤーン２２は、コーティング５０と連動して作用している。この態様では、コーティング５０は、軟質（コ）ポリマーマトリックスである。この軟質（コ）ポリマーマトリックスには、多種多様な材料を使用して形成された導電性不純物が分散されている。様々な態様において、使用に適した多くの導電性不純物を使用することが出来、かつ様々なタイプの使用に適した導電性コーティングを使用することが出来る。この態様では、コーティング５０は、導電性コーティングで、容量センサとして機能する。導電性ヤーン２２は、シールド又は接地系として機能する。コーティング５０は、衣服の生地の内側又は外側に形成されている。幾つかの態様では、点線で示した接続ケーブル２は、衣服の縫い目に沿って延びており、マイクロコントローラ１を、容量電極３のコーティング５０に電気的に接続している。
【００８５】
要約すると、本発明は、着用者の脚用の衣服１０、容量電極３及びマイクロコントローラ１を備えている着用可能なステップカウンタシステム１００であって、前記衣服１０は、編織布部分１２を有しており、前記容量電極３は、前記編織布部分１２の中に織り込まれている導電性ヤーン２２を含んでおり、前記編織布部分１２は、前記衣服１０に接して、その上又は前記衣服１０の中に配設されているか、或いは前記衣服１０の一部を形成しており、前記容量電極３と着用者の脚の間に寄生容量結合を形成しており、前記マイクロコントローラ１は、前記容量電極３と電気的に接続されて、寄生容量結合を評価するようになっており、もって着用者の両脚の間の相対運動を前記マイクロコントローラ１で検出するようになっている着用可能ステップカウンタシステム１００に関するものである。
【００８６】
幾つかの態様では、前記マイクロコントローラ１は、前記容量電極（３）の容量値（Ｃ）を検出することによって、前記寄生容量結合を評価するような構成になっている。
【００８７】
幾つかの態様では、前記マイクロコントローラ１は、前記衣服の縫い目に沿って延びている線によって、前記容量電極（３）に電気的に接続されている。
【００８８】
幾つかの態様では、前記導電性ヤーンを含んでいる前記編織布部分は、前記衣服の縫い目に沿って配置されている。
【００８９】
幾つかの態様では、前記マイクロコントローラ１は、前記寄生容量結合に基づいて、着用者の両脚の間の距離を評価するような構成になっている。
【００９０】
幾つかの態様では、前記マイクロコントローラ１は、前記寄生容量結合に基づいて、着用者の両脚の間の距離（Ｄ）、及び容量電極と着用者の片脚の横断面の重なり部分（Ｏ）の少なくとも１つを評価するような構成になっている。
【００９１】
幾つかの態様では、前記マイクロコントローラ１は、前記寄生容量結合に関連した寄生容量値を時間の関数として評価するような構成になっている。
【００９２】
幾つかの態様においては、前記容量電極は、前記衣服のほぼ全長に沿って配設される。
【００９３】
幾つかの態様においては、前記マイクロコントローラは、前記衣服の全長に沿った複数の点において、前記寄生容量結合に関連した寄生容量を検知する。
【００９４】
幾つかの態様においては、前記導電性ヤーンは、導電性コアと電気絶縁性外表面を備えている。
【００９５】
幾つかの態様においては、前記導電性コアは、少なくとも１つの鋼、銅、銀、及び導電性ポリマーの少なくとも１つから製造される。
【００９６】
幾つかの態様においては、前記電気絶縁性外表面は、コットン、ポリエステル、ポリウレタン又はポリプロピレンから製造される。
【００９７】
幾つかの態様においては、前記編織布部分は、前記導電性ヤーンと交絡された複数本の非絶縁性導電性ヤーンを含んでおり、前記複数本の非絶縁性導電性ヤーンは、着用者の皮膚に接触している電気的接地グリッドを供給するようになっている。
【００９８】
幾つかの態様においては、前記非絶縁性導電性ヤーンは、鋼、コットンの周りに巻かれた鋼又は鋼−コットンの混合物から製造されている。
【００９９】
幾つかの態様においては、前記衣服は、第１の脚用衣服及び第２の脚用衣服を持った二脚型衣服であって；
前記編織布部分（１２）は、前記第１の脚用衣服（１１ａ）の第１の編織布部分（１２ａ）及び第２の脚用衣服（１１ｂ）の第２の編織布部分（１２ｂ）を有しており、
前記容量電極は、第１容量電極（３ａ）及び第２容量電極（３ｂ）を有していて、前記第１容量電極（３ａ）の導電性ヤーン（２２）は、前記第１の編織布部分（１２ａ）の中に織り込まれており、かつ前記第２容量電極（３ｂ）の導電性ヤーン（２２）は、前記第２の編織布部分（１２ｂ）の中に織り込まれている。
【０１００】
幾つかの態様において、前記衣服は、第１の脚用衣服及び第２の脚用衣服を持った二脚型衣服であって；
前記編織布部分（１２）は、前記第１の脚用衣服（１１ａ）の第１の編織布部分（１２ａ）を有しており、
更に、前記編織布部分（１２）は、前記第２の脚用衣服（１１ｂ）の少なくとも一部に接してその上に配設された整合電極（４）、又は前記第２の脚用衣服（１１ｂ）の少なくとも一部の中に配設された整合電極（４）を含んでいるか、或いは前記第２の脚用衣服（１１ｂ）の少なくとも部分を形成しており、
前記整合電極（４）は、接地された導電性ヤーン（４０）を備えている。
【０１０１】
幾つかの態様において、前記整合電極（４）は、前記衣服（１０）のほぼ全長に沿って配設されており、前記衣服（１０）は１対のパンツである。
【０１０２】
幾つかの態様において、着用可能なステップカウンタシステムは、着用者の脚用衣服、容量電極、及びマイクロコントローラを具備しており、前記衣服は、編織布部分、及び前記編織布部分の中に織り込まれ、かつ、前記衣服の一部を形成している導電性ヤーンを含んでおり、前記導電性ヤーンは、電気的に接地されており、かつ前記編織布部分は、前記編織布部分に接してその上に配置された導電性コーティングを更に有しており、かつ、前記容量電極を、前記容量電極と着用者の脚の間に寄生容量結合を提供するように形成し、前記マイクロコントローラは、前記容量電極に電気的に接続されており、前記寄生容量結合を評価して、着用者の両脚の間の相対運動を検出するようになっている。
【０１０３】
幾つかの態様において、前記導電性コーティングは、内部に導電性不純物が分散された軟質コポリマーマトリクッスを含んでいる。
【０１０４】
使用者の歩行数を検出する方法は、以下のステップを含んでいる。
ａ）  着用者の脚用の衣服を供給すること。此処において、前記衣服は、容量電極、及び容量電極に結合されたマイクロコントローラを備えており、前記衣服は、編織布部分、及び編織布部分の中に織り込まれている導電性ヤーンを含んでいて、かつ前記衣服の第１脚部分を形成している。及び
ｂ）  前記容量電極、及び前記衣服の前記第２脚との間の寄生容量を検出すること。
【０１０５】
幾つかの態様において、前記ステップ（ｂ）は、前記第２の脚に沿った複数の位置における前記寄生容量の検出を提供する。
【０１０６】
幾つかの態様において、前記方法は、更に、ステップ（ｃ）前記寄生容量を、前記第１の脚における前記容量電極と前記衣服の前記第２の脚に配設されている前記着用者の脚の間の距離に変換することを含んでいる。
【０１０７】
幾つかの態様において、前記ステップ（ｂ）は、一定時間に亘って、少なくとも周期的に実行され、かつステップ（ｄ）一定時間に亘って、少なくとも周期的に行なった前記検出に基づいて、着用者が取ったステップの数を計算することを含む。
【０１０８】
本発明による着用可能なステップカウンタシステムは、下記のステップを含む方法によって製造することができる。
―編織布部分（１２）を含む着用者の脚用の衣服（１０）を提供すること。
―前記編織布部分（１２）の中に導電性ヤーン（２２）を織り込んで、容量電極（３）を提供すること。
―前記容量電極（３）に電気的に接続されたマイクロコントローラ（１）を提供し、前記容量電極（３）と着用者の脚の間の寄生容量結合を評価し、着用者の両脚の間の相対運動を、マイクロコントローラ（１）で検出すること。
【産業上の利用可能性】
【０１０９】
本発明の着用可能なステップカウンタシステムは、着用者の歩行を高い信頼感をもって、かつ正確、精密に検出するというステップカウンタ本来の機能を発揮することはもとより、使用者の衣服の一部として衣服に織り込まれているので、着用していても身体的快適さ及びスタイリッシュな外観を失うことがない。従って、衣料産業、電子電気部品産業をはじめ、健康志向に伴い、各種健康衣料産業にも資することができる。
【符号の説明】
【０１１０】
１：マイクロコントローラ
２：接続ケーブル
２ａ：接続ケーブル
２ｂ：接続ケーブル
３：容量電極
３ａ：第１の容量電極
３ｂ：第２の容量電極
４：整合電極
８：パンツのクロッチ
９：パンツのアンクル部
１０：着用者の脚用の衣服
１１ａ：第１の衣服の脚部
１１ｂ：第２の衣服の脚部
１２：編織布部分
１２ａ：第１の編織布部分
１２ｂ：第２の編織布部分
２２：導電性ヤーン
２３：導電性ヤーン
２４：絶縁性編織用ヤーン
２５：導電性コア
２７：絶縁性外表面
４０：導電性ヤーン
５０：コーティング
５５：構造的絶縁ヤーン
６５：構造的絶縁ヤーン
１００：ステップカウンタシステム
１２０：第１の編織布層
１３０：第２の編織布層
１４０：中間の紡織層
Ｃ：容量値
Ｃ（ｔ）：経時的−サンプル信号
Ｃ（ｆ）：周波数スペクトル
Ｏ：横断面の重なり
Ｄ：着用者の両脚の間の距離
【図１】
2017211985.tif 000003
【図２Ａ】
2017211985.tif 000004
【図２Ｂ】
2017211985.tif 000005
【図２Ｃ】
2017211985.tif 000006
【図３】
2017211985.tif 000007
【図４】
2017211985.tif 000008
【図５】
2017211985.tif 000009
【図６】
2017211985.tif 000010
【図７】
2017211985.tif 000011
【図８】
2017211985.tif 000012
【図９】
2017211985.tif 000013
【図１０】
2017211985.tif 000014
【図１１】
2017211985.tif 000015
【外国語明細書】
2017211985000001.pdf